【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
冷媒を吸入して吐出する圧縮機（１１）と、
前記圧縮機から吐出された冷媒と熱媒体とを熱交換させる高温側熱交換器（１２）と、
前記高温側熱交換器から流出した前記冷媒を減圧させる減圧部（１６）と、
前記減圧部で減圧された前記冷媒と前記熱媒体とを熱交換させる低温側熱交換器（１７）と、
前記高温側熱交換器に前記熱媒体を循環させるための高温側熱媒体回路（２０）と、
前記低温側熱交換器に前記熱媒体を循環させるための低温側熱媒体回路（３０）と、
前記低温側熱媒体回路の前記熱媒体が熱交換する熱交換部（３３）と、
前記熱交換部で前記熱媒体が放熱するように、前記高温側熱媒体回路から前記低温側熱媒体回路へ熱を移動させる熱移動部（４５、４６、３９）と、
前記低温側熱媒体回路の前記熱媒体と外気とを熱交換させる低温側室外器（３２）と、
前記高温側熱媒体回路の前記熱媒体と外気とを熱交換させる高温側室外器（２３）とを備え、
前記熱移動部は、前記高温側室外器と前記低温側室外器とを金属で結合することによって、前記高温側室外器から前記低温側室外器へ熱を移動させる結合部（３９）を有している冷凍サイクル装置。
【請求項２】
冷媒を吸入して吐出する圧縮機（１１）と、
前記圧縮機から吐出された冷媒と熱媒体とを熱交換させる高温側熱交換器（１２）と、
前記高温側熱交換器から流出した前記冷媒を減圧させる減圧部（１６）と、
前記減圧部で減圧された前記冷媒と前記熱媒体とを熱交換させる低温側熱交換器（１７）と、
前記高温側熱交換器に前記熱媒体を循環させるための高温側熱媒体回路（２０）と、
前記低温側熱交換器に前記熱媒体を循環させるための低温側熱媒体回路（３０）と、
前記低温側熱媒体回路の前記熱媒体が熱交換する熱交換部（３２）と、
前記熱交換部で前記熱媒体が放熱するように、前記高温側熱媒体回路から前記低温側熱媒体回路へ熱を移動させる熱移動部（４５、４６、３９）と、
前記高温側熱媒体回路の前記熱媒体と外気とを熱交換させる高温側室外器（２３）とを備え、
前記熱交換部は、前記低温側熱媒体回路の前記熱媒体と外気とを熱交換させる低温側室外器（３２）であり、
さらに、前記高温側室外器と前記低温側室外器とを金属で結合することによって、前記高温側室外器から前記低温側室外器へ熱を移動させる結合部（３９）を備える冷凍サイクル装置。
【請求項３】
冷媒を吸入して吐出する圧縮機（１１）と、
前記圧縮機から吐出された冷媒と熱媒体とを熱交換させる高温側熱交換器（１２）と、
前記高温側熱交換器から流出した前記冷媒を減圧させる減圧部（１６）と、
前記減圧部で減圧された前記冷媒と前記熱媒体とを熱交換させる低温側熱交換器（１７）と、
前記高温側熱交換器に前記熱媒体を循環させるための高温側熱媒体回路（２０）と、
前記低温側熱交換器に前記熱媒体を循環させるための低温側熱媒体回路（３０）と、
前記低温側熱媒体回路の前記熱媒体が熱交換する熱交換部（３３）と、
前記熱交換部で前記熱媒体が放熱するように、前記高温側熱媒体回路から前記低温側熱媒体回路へ熱を移動させる熱移動部（４５、４６、３９）と、
前記低温側熱媒体回路の前記熱媒体と外気とを熱交換させる低温側室外器（３２）と、
前記低温側熱交換器と前記低温側室外器との間で前記熱媒体が循環する状態と、前記低温側熱交換器と前記低温側室外器との間で前記熱媒体が循環しない状態とを切り替える低温側循環切替部（３８）と、
前記低温側熱交換器と前記低温側室外器との間で前記熱媒体を循環させるように前記低温側循環切替部を制御した後、前記連通流路を開くように前記開閉部を制御する制御部（６０）とを備える冷凍サイクル装置。
【請求項４】
冷媒を吸入して吐出する圧縮機（１１）と、
前記圧縮機から吐出された冷媒と熱媒体とを熱交換させる高温側熱交換器（１２）と、
前記高温側熱交換器から流出した前記冷媒を減圧させる減圧部（１６）と、
前記減圧部で減圧された前記冷媒と前記熱媒体とを熱交換させる低温側熱交換器（１７）と、
前記高温側熱交換器に前記熱媒体を循環させるための高温側熱媒体回路（２０）と、
前記低温側熱交換器に前記熱媒体を循環させるための低温側熱媒体回路（３０）と、
前記低温側熱媒体回路の前記熱媒体が熱交換する熱交換部（３３）と、
前記熱交換部で前記熱媒体が放熱するように、前記高温側熱媒体回路から前記低温側熱媒体回路へ熱を移動させる熱移動部（４５、４６、３９）と、
前記低温側熱媒体回路の前記熱媒体と外気とを熱交換させる低温側室外器（３２）と、
前記熱交換部と前記低温側室外器との間で前記熱媒体が循環する状態と、前記熱交換部
と前記低温側室外器との間で前記熱媒体が循環しない状態とを切り替える低温側循環切替部（３８）と、
前記熱交換部と前記低温側室外器との間で前記熱媒体を循環させるように前記低温側循環切替部を制御した後、前記連通流路を開くように前記開閉部を制御する制御部（６０）とを備える冷凍サイクル装置。
【請求項５】
前記熱交換部は、車両に搭載された電池（３３）である請求項１、３、４のいずれか１つに記載の冷凍サイクル装置。
【請求項６】
前記熱移動部は、前記高温側熱媒体回路と前記低温側熱媒体回路との間で前記熱媒体が循環するように前記高温側熱媒体回路と前記低温側熱媒体回路とを連通させる連通流路（４５、４６）を有しており、
前記高温側熱媒体回路から前記連通流路を介して前記低温側熱媒体回路に流入した前記熱媒体の少なくとも一部は、前記低温側熱交換器を経ることなく前記熱交換部を流れる請求項１ないし５のいずれか１つに記載の冷凍サイクル装置。
【請求項７】
前記高温側熱交換器から流出した前記冷媒の気液を分離して液相の前記冷媒を前記減圧部側へ流出させる気液分離部（４０）を備える請求項１ないし６のいずれか１つに記載の冷凍サイクル装置。
【手続補正２】
【補正対象書類名】明細書
【補正対象項目名】０００９
【補正方法】変更
【補正の内容】
【０００９】
上記目的を達成するため、請求項１に記載の冷凍サイクル装置では、
冷媒を吸入して吐出する圧縮機（１１）と、
圧縮機（１１）から吐出された冷媒と熱媒体とを熱交換させる高温側熱交換器（１２）と、
高温側熱交換器（１２）から流出した冷媒を減圧させる減圧部（１６）と、
減圧部（１６）で減圧された冷媒と熱媒体とを熱交換させる低温側熱交換器（１７）と、
高温側熱交換器（１２）に熱媒体を循環させるための高温側熱媒体回路（２０）と、
低温側熱交換器（１７）に熱媒体を循環させるための低温側熱媒体回路（３０）と、
低温側熱媒体回路（３０）の熱媒体が熱交換する熱交換部（３３）と、
熱交換部（３３）で熱媒体が放熱するように、高温側熱媒体回路（２０）から低温側熱媒体回路（３０）へ熱を移動させる熱移動部（４５、４６、３９）と、
低温側熱媒体回路の熱媒体と外気とを熱交換させる低温側室外器（３２）と、
高温側熱媒体回路の熱媒体と外気とを熱交換させる高温側室外器（２３）とを備え、
熱移動部は、高温側室外器と低温側室外器とを金属で結合することによって、高温側室外器から低温側室外器へ熱を移動させる結合部（３９）を有している。
【手続補正３】
【補正対象書類名】明細書
【補正対象項目名】００１０
【補正方法】変更
【補正の内容】
【００１０】
これによると、熱移動部（４５、４６、３９）を備えることで熱交換部（３２、３３）で熱媒体を放熱させることができるので、簡素な構成で熱交換部（３２、３３）を加熱できる。
上記目的を達成するため、請求項２に記載の冷凍サイクル装置では、
冷媒を吸入して吐出する圧縮機（１１）と、
圧縮機から吐出された冷媒と熱媒体とを熱交換させる高温側熱交換器（１２）と、
高温側熱交換器から流出した冷媒を減圧させる減圧部（１６）と、
減圧部で減圧された冷媒と熱媒体とを熱交換させる低温側熱交換器（１７）と、
高温側熱交換器に熱媒体を循環させるための高温側熱媒体回路（２０）と、
低温側熱交換器に熱媒体を循環させるための低温側熱媒体回路（３０）と、
低温側熱媒体回路の熱媒体が熱交換する熱交換部（３２）と、
熱交換部で熱媒体が放熱するように、高温側熱媒体回路から低温側熱媒体回路へ熱を移動させる熱移動部（４５、４６、３９）と、
高温側熱媒体回路の熱媒体と外気とを熱交換させる高温側室外器（２３）とを備え、
熱交換部は、低温側熱媒体回路の熱媒体と外気とを熱交換させる低温側室外器（３２）であり、
さらに、高温側室外器と低温側室外器とを金属で結合することによって、高温側室外器から低温側室外器へ熱を移動させる結合部（３９）を備える。
これにより、請求項１の発明と同様の作用効果を奏することができる。
上記目的を達成するため、請求項３に記載の冷凍サイクル装置では、
冷媒を吸入して吐出する圧縮機（１１）と、
圧縮機から吐出された冷媒と熱媒体とを熱交換させる高温側熱交換器（１２）と、
高温側熱交換器から流出した冷媒を減圧させる減圧部（１６）と、
減圧部で減圧された冷媒と熱媒体とを熱交換させる低温側熱交換器（１７）と、
高温側熱交換器に熱媒体を循環させるための高温側熱媒体回路（２０）と、
低温側熱交換器に熱媒体を循環させるための低温側熱媒体回路（３０）と、
低温側熱媒体回路の熱媒体が熱交換する熱交換部（３３）と、
熱交換部で熱媒体が放熱するように、高温側熱媒体回路から低温側熱媒体回路へ熱を移動させる熱移動部（４５、４６、３９）と、
低温側熱媒体回路の熱媒体と外気とを熱交換させる低温側室外器（３２）と、
低温側熱交換器と低温側室外器との間で熱媒体が循環する状態と、低温側熱交換器と低温側室外器との間で熱媒体が循環しない状態とを切り替える低温側循環切替部（３８）と、
低温側熱交換器と低温側室外器との間で熱媒体を循環させるように低温側循環切替部を制御した後、連通流路を開くように開閉部を制御する制御部（６０）とを備える。
これにより、請求項１の発明と同様の作用効果を奏することができる。
上記目的を達成するため、請求項４に記載の冷凍サイクル装置では、
冷媒を吸入して吐出する圧縮機（１１）と、
圧縮機から吐出された冷媒と熱媒体とを熱交換させる高温側熱交換器（１２）と、
高温側熱交換器から流出した冷媒を減圧させる減圧部（１６）と、
減圧部で減圧された冷媒と熱媒体とを熱交換させる低温側熱交換器（１７）と、
高温側熱交換器に熱媒体を循環させるための高温側熱媒体回路（２０）と、
低温側熱交換器に熱媒体を循環させるための低温側熱媒体回路（３０）と、
低温側熱媒体回路の熱媒体が熱交換する熱交換部（３３）と、
熱交換部で熱媒体が放熱するように、高温側熱媒体回路から低温側熱媒体回路へ熱を移動させる熱移動部（４５、４６、３９）と、
低温側熱媒体回路の熱媒体と外気とを熱交換させる低温側室外器（３２）と、
熱交換部と低温側室外器との間で熱媒体が循環する状態と、熱交換部
と低温側室外器との間で熱媒体が循環しない状態とを切り替える低温側循環切替部（３８）と、
熱交換部と低温側室外器との間で熱媒体を循環させるように低温側循環切替部を制御した後、連通流路を開くように開閉部を制御する制御部（６０）とを備える。
これにより、請求項１の発明と同様の作用効果を奏することができる。
【手続補正４】
【補正対象書類名】明細書
【補正対象項目名】０１９９
【補正方法】変更
【補正の内容】
【０１９９】
より具体的には、第１膨張弁１３および第２膨張弁１６は、冷媒通路を全閉する全閉機能付きの可変絞り機構で構成されていてもよい。全閉機能付きの可変絞り機構は、冷媒通路を全閉にすることで冷媒の流れを遮断することができる。